(57)【要約】【課題】  例えば、広画角、高ズーム比、および全ズーム範囲にわたる高い光学性能の点で有利なズームレンズの提供を目的とする。【解決手段】  物体側から像側へ順に、変倍のためには不動の正の第１群と、望遠端への変倍時に像側へ移動する負の第２群と、望遠端への変倍時に像側へ移動する第３群と、変倍時に移動する第４群と、変倍のためには移動しない正の第５群とから構成されるズームレンズは、第３群を構成するレンズのうち最も像側の２つのレンズは、正レンズと負レンズから構成され、前記正レンズの部分分散比およびアッベ数をθｐ２３、νｐ２３、前記負レンズの部分分散比とアッベ数をθｎ２３、νｎ２３、第２群の全てのレンズの屈折率の平均値をｎａｖｅ２３として、    −３．０×１０-3＜（θｐ２３−θｎ２３）／（νｐ２３−νｎ２３）＜０    １．７＜ｎａｖｅ２３＜２．０なる条件式を満足する。【選択図】  図１３
2019139253.tif 000002
【特許請求の範囲】
【請求項１】
物体側から像側へ順に、ズーミングのためには移動しない正の屈折力の第１レンズ群と、広角端から望遠端へのズーミングのために像側へ移動する負の屈折力の第２レンズ群と、広角端から望遠端へのズーミングのために像側へ移動する第３レンズ群と、ズーミングのために移動する第４レンズ群と、ズーミングのためには移動しない正の屈折力の第５レンズ群とから構成されるズームレンズであって、
ズーミングのために、互いに隣接するレンズ群どうしの間隔はいずれも変化し、
前記第３レンズ群を構成するレンズのうち最も像側の２つのレンズは、正レンズと負レンズとから構成され、前記正レンズの部分分散比およびアッベ数をそれぞれθｐ２３およびνｐ２３とし、前記負レンズの部分分散比およびアッベ数をそれぞれθｎ２３およびνｎ２３とし、前記第２レンズ群および前記第３レンズ群の全てのレンズの屈折率の平均値をｎａｖｅ２３として、
−３．０×１０−３＜（θｐ２３−θｎ２３）／（νｐ２３−νｎ２３）＜０
１．７＜ｎａｖｅ２３＜２．０
なる条件式を満足する、
ことを特徴とするズームレンズ。
但し、アッベ数ν及び部分分散比θは、ｇ線における屈折率をｎｇとし、Ｆ線における屈折率をｎＦとし、ｄ線における屈折率をｎｄとし、Ｃ線における屈折率をｎＣとして、それぞれ
ν＝（ｎｄ−１）／（ｎＦ−ｎＣ）および
θ＝（ｎｇ−ｎＦ）／（ｎＦ−ｎＣ）
なる式で表される。
【請求項２】
前記第１レンズ群の焦点距離をｆ１とし、前記ズームレンズの広角端における焦点距離をｆｗとし、前記第２レンズ群及び前記第３レンズ群の広角端における合成焦点距離をｆ２３として、
−２．５＜ｆ２３／ｆｗ＜０
−５．０＜ｆ１／ｆ２３＜０
なる条件式を満足することを特徴とする請求項１に記載のズームレンズ。
【請求項３】
前記第２レンズ群および前記第３レンズ群を構成するレンズのうち物体側から像側へｉ番目のレンズは、その屈折率およびアッベ数をそれぞれｎｉ２３およびνｉ２３として、
１．８＜ｎｉ２３＜２．２
１５＜νｉ２３＜３０
なる条件式を満足する正レンズであることを特徴とする請求項２に記載のズームレンズ。
【請求項４】
前記第２レンズ群および前記第３レンズ群を構成するレンズのうち物体側から像側へｉ番目のレンズは、その部分分散比およびアッベ数をそれぞれθｉ２３およびνｉ２３として、
０．６４８＜θｉ２３＋２．５３×１０-3×νｉ２３＜０．６７８
なる条件式を満足する正レンズである、ことを特徴とする請求項１ないし請求項３のうちいずれか１項に記載のズームレンズ。
【請求項５】
請求項３に記載の前記正レンズは、前記第３レンズ群を構成するレンズのうちの唯一の正レンズであることを特徴とする請求項３に記載のズームレンズ。
【請求項６】
前記第１レンズ群は、物体側から像側へ順に、焦点調整のためには移動しない負の屈折力の第１１レンズ群、焦点調整のために光軸に沿って移動する正の屈折力の第１２レンズ群、焦点調整のためには移動しない正の屈折力の第１３レンズ群から構成され、前記第１レンズ群の焦点距離をｆ１とし、前記第１１レンズ群の焦点距離をｆ１１とし、前記第１３レンズ群の焦点距離をｆ１３として、
−９．０＜ｆ１１／ｆ１＜−０．９
−１．５＜ｆ１３／ｆ１１＜−０．５
なる条件式を満足することを特徴とする請求項１ないし請求項５のうちいずれか１項に記載のズームレンズ。
【請求項７】
前記第１レンズ群の焦点距離をｆ１とし、前記ズームレンズの広角端における焦点距離をｆｗとし、無限遠に合焦している状態で無限遠より軸上光束が入射した場合の前記第５レンズ群の広角端における横倍率をβｎｗとして、
１．５＜ｆ１／ｆｗ＜９．０
−２．７＜βｎｗ＜−１．０
なる条件式を満足することを特徴とする請求項１ないし請求項６のうちいずれか１項に記載のズームレンズ。
【請求項８】
請求項１ないし請求項７のうちいずれか１項に記載のズームレンズと、
前記ズームレンズによって形成された像を受ける撮像素子と、
を有することを特徴とする撮像装置。
【発明の詳細な説明】
【技術分野】
【０００１】
本発明は、ズームレンズおよび撮像装置に関する。
【背景技術】
【０００２】
近年、テレビカメラ、映画用カメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、正の屈折力の第１群、ズーム用の負の屈折力の第２群、ズームに伴う像面変動補正用の負の屈折力の第３群、結像用の正の屈折力の第４群より成る４群ズームレンズが知られている。（特許文献１、２）
【０００３】
特許文献１では、ズーム比８倍程度、広角端の撮影画角８７°程度であるズームレンズが開示されている。特許文献２では、ズーム比２．９倍程度、広角端の撮影画角９４°程度であるズームレンズが開示されている。
【先行技術文献】
【特許文献】
【０００４】
【特許文献１】特開平９−１５５０１号公報
【特許文献２】特開２００４−３４１２３７号公報
【発明の概要】
【発明が解決しようとする課題】
【０００５】
前述した構成の４群ズームレンズは、広画角化が比較的容易であるが、この４群ズームレンズで高い光学性能を得るには、全ズーム範囲において倍率色収差を良好に補正することが重要である。異常分散性を有する光学材料を使用すれば、倍率色収差を良好に補正するのが容易になる。しかしながら、単に異常分散性の光学材料より成るレンズを用いても色収差を良好に補正することは難しい。前述した４群ズームレンズにおいて全ズーム範囲にわたり、高い光学性能を得るには、ズーミングに際して移動する第２レンズ群に含まれる各レンズの材料を適切に設定することが重要になっている。
【０００６】
また、前述した構成の４群ズームレンズは、高ズーム化が比較的容易であるが、高ズーム化と小型化を両立するためには、レンズの屈折力配置を適切に設定することが重要である。特に前述した構成の４群ズームレンズは、主に第２レンズ群がズーム変化の役割を担うため、第２レンズ群のレンズ構成及び第２レンズ群に含まれる各レンズの材料を適切に設定することが重要になっている。
【０００７】
本発明は、例えば、広画角、高ズーム比、および全ズーム範囲にわたる高い光学性能の点で有利なズームレンズの提供を目的とする。
【課題を解決するための手段】
【０００８】
本発明のズームレンズは、物体側から像側へ順に、ズーミングのためには移動しない正の屈折力の第１レンズ群と、広角端から望遠端へのズーミングのために像側へ移動する負の屈折力の第２レンズ群と、広角端から望遠端へのズーミングのために像側へ移動する第３レンズ群と、ズーミングのために移動する第４レンズ群と、ズーミングのためには移動しない正の屈折力の第５レンズ群とから構成されるズームレンズであって、ズーミングのために、互いに隣接するレンズ群どうしの間隔はいずれも変化し、前記第３レンズ群を構成するレンズのうち最も像側の２つのレンズは、正レンズと負レンズとから構成され、前記正レンズの部分分散比およびアッベ数をそれぞれθｐ２３およびνｐ２３とし、前記負レンズの部分分散比およびアッベ数をそれぞれθｎ２３およびνｎ２３とし、前記第２レンズ群および前記第３レンズ群の全てのレンズの屈折率の平均値をｎａｖｅ２３として、
−３．０×１０-3＜（θｐ２３−θｎ２３）／（νｐ２３−νｎ２３）＜０
１．７＜ｎａｖｅ２３＜２．０
なる条件式を満足する、
ことを特徴としている。
【０００９】
但し、アッベ数νおよび部分分散比θは、ｇ線における屈折率をｎｇとし、Ｆ線における屈折率をｎＦとし、ｄ線における屈折率をｎｄとし、Ｃ線における屈折率をｎＣとして、それぞれ
ν＝（ｎｄ−１）／（ｎＦ−ｎＣ）  および
θ＝（ｎｇ−ｎＦ）／（ｎＦ−ｎＣ）
なる式で表される。
【発明の効果】
【００１０】
本発明によれば、例えば、広画角、高ズーム比、および全ズーム範囲にわたる高い光学性能の点で有利なズームレンズの提供が可能となる。
【図面の簡単な説明】
【００１１】
【図１】参考例１に係るズームレンズの広角端において無限遠物体に合焦したときのレンズ断面図
【図２】参考例１に係るズームレンズの（Ａ）広角端、（Ｂ）ズーム中間、（Ｃ）望遠端で無限遠物体に合焦したときの収差図
【図３】参考例２に係るズームレンズの広角端において無限遠物体に合焦したときのレンズ断面図
【図４】参考例２に係るズームレンズの（Ａ）広角端、（Ｂ）ズーム中間、（Ｃ）望遠端で無限遠物体に合焦したときの収差図
【図５】参考例３に係るズームレンズの広角端において無限遠物体に合焦したときのレンズ断面図
【図６】参考例３に係るズームレンズの（Ａ）広角端、（Ｂ）ズーム中間、（Ｃ）望遠端で無限遠物体に合焦したときの収差図
【図７】参考例４に係るズームレンズの広角端において無限遠物体に合焦したときのレンズ断面図
【図８】参考例４に係るズームレンズの（Ａ）広角端、（Ｂ）ズーム中間、（Ｃ）望遠端で無限遠物体に合焦したときの収差図
【図９】参考例５に係るズームレンズの広角端において無限遠物体に合焦したときのレンズ断面図
【図１０】参考例５に係るズームレンズの（Ａ）広角端、（Ｂ）ズーム中間、（Ｃ）望遠端で無限遠物体に合焦したときの収差図
【図１１】参考例６に係るズームレンズの広角端において無限遠物体に合焦したときのレンズ断面図
【図１２】参考例６に係るズームレンズの（Ａ）広角端、（Ｂ）ズーム中間、（Ｃ）望遠端で無限遠物体に合焦したときの収差図
【図１３】数値実施例に係るズームレンズの広角端において無限遠物体に合焦したときのレンズ断面図
【図１４】数値実施例に係るズームレンズの（Ａ）広角端、（Ｂ）ズーム中間、（Ｃ）望遠端で無限遠物体に合焦したときの収差図
【図１５】撮像装置の要部概略図
【図１６】光学材料のアッベ数νと部分分散比θの分布の模式図
【図１７】ズームレンズの広角端及び望遠端における光路図
【図１８】撮像装置の要部概略図
【発明を実施するための形態】
【００１２】
以下には、本発明の実施の形態を添付の図面に基づいて詳細に説明する。参考例１〜６に記載の本発明のズームレンズは、物体側から像側へ順に、ズーミングのためには移動しない正の屈折力の第１レンズ群を有する。更にズーミングに際して移動する負の屈折力の第２レンズ群、ズーミングに際して移動する負の屈折力の第３レンズ群、ズーミングのためには移動しない正の屈折力の第４レンズ群から構成されている。
【００１３】
実施例１に記載の本発明のズームレンズは、物体側から像側へ順に、ズーミングのためには移動しない正の屈折力の第１レンズ群を有する。更にズーミングに際して移動する負の屈折力の第２レンズ群、ズーミングに際して移動する負の屈折力の第３レンズ群、ズーミングに際して移動する負の屈折力の第４レンズ群、ズーミングのためには移動しない正の屈折力の第５レンズ群から構成されている。
【００１４】
ここでレンズ群がズーミングのためには移動しないというのは、該レンズ群がズーミングを行う目的で駆動されることは無いが、ズーミングとフォーカシングとを同時に行う場合があれば、フォーカシングのために移動することはあり得るということである。
【００１５】
図１は参考例１のズームレンズの広角端（焦点距離、ｆ＝１８．００ｍｍ）で無限遠物体に合焦しているときのレンズ断面図である。図２は、参考例１に係るズームレンズの（Ａ）広角端、（Ｂ）ズーム中間（焦点距離、ｆ＝６３．００ｍｍ）、（Ｃ）望遠端（焦点距離、ｆ＝１８０．００ｍｍ）における無限遠物体に合焦しているときの収差図である。但し、焦点距離は数値例の値をｍｍ単位で表したときの値である。これは以下の各数値例において全て同じである。
【００１６】
図３は参考例２のズームレンズの広角端（焦点距離、ｆ＝１５．００ｍｍ）で無限遠物体に合焦しているときのレンズ断面図である。図４は、参考例２に係るズームレンズの（Ａ）広角端、（Ｂ）ズーム中間（焦点距離、ｆ＝３５．００ｍｍ）、（Ｃ）望遠端（焦点距離、ｆ＝７５．００ｍｍ）における無限遠物体に合焦しているときの収差図である。
【００１７】
図５は参考例３のズームレンズの広角端（焦点距離、ｆ＝２０．００ｍｍ）で無限遠物体に合焦しているときのレンズ断面図である。図６は、参考例３に係るズームレンズの（Ａ）広角端、（Ｂ）ズーム中間（焦点距離、ｆ＝６０．００ｍｍ）、（Ｃ）望遠端（焦点距離、ｆ＝１６０．００ｍｍ）における無限遠物体に合焦しているときの収差図である。
【００１８】
図７は参考例４のズームレンズの広角端（焦点距離、ｆ＝１９．００ｍｍ）で無限遠物体に合焦しているときのレンズ断面図である。図８は、参考例４に係るズームレンズの（Ａ）広角端、（Ｂ）ズーム中間（焦点距離、ｆ＝４５．００ｍｍ）、（Ｃ）望遠端（焦点距離、ｆ＝９５．００ｍｍ）における無限遠物体に合焦しているときの収差図である。
【００１９】
図９は参考例５のズームレンズの広角端（焦点距離、ｆ＝１４ｍｍ）で無限遠物体に合焦しているときのレンズ断面図である。図１０は、参考例５に係るズームレンズの（Ａ）広角端、（Ｂ）ズーム中間（焦点距離、ｆ＝２８．００ｍｍ）、（Ｃ）望遠端（焦点距離、ｆ＝５６．００ｍｍ）における無限遠物体に合焦しているときの収差図である。
【００２０】
図１１は参考例６のズームレンズの広角端（焦点距離、ｆ＝８．００ｍｍ）で無限遠物体に合焦しているときのレンズ断面図である。図１２は、参考例６に係るズームレンズの（Ａ）広角端、（Ｂ）ズーム中間（焦点距離、ｆ＝３２．００ｍｍ）、（Ｃ）望遠端（焦点距離、ｆ＝１２０．００ｍｍ）における無限遠物体に合焦しているときの収差図である。
【００２１】
図１３は実施例（数値実施例）のズームレンズの広角端（焦点距離、ｆ＝１８．５０ｍｍ）で無限遠物体に合焦しているときのレンズ断面図である。図１４は、数値実施例に係るズームレンズの（Ａ）広角端、（Ｂ）ズーム中間（焦点距離、ｆ＝４５．００ｍｍ）、（Ｃ）望遠端（焦点距離、ｆ＝１２０．２５ｍｍ）における無限遠物体に合焦しているときの収差図である。
【００２２】
図１５は倍率色収差の二次スペクトル補正原理である。
図１６は光学材料のアッベ数νと部分分散比θの分布の模式図である。
図１７は光路図である。
図１８は撮像装置の要部概略図である。
【００２３】
各レンズ断面図において、左方が被写体（物体）側（前方）で、右方が像側（後方）である。レンズ断面図において、Ｕ１はズーミングのためには移動しない正の屈折力の第１レンズ群（前玉レンズ群）である。Ｕ１２は第１レンズ群Ｕ１中のフォーカスレンズ群であり、無限遠物体から近距離物体へのフォーカスに際して、図１、３、５、７、９、１３では像側へ、図１１では物体側へ移動する。Ｕ１１、Ｕ１３は第１レンズ群Ｕ１中のフォーカスのためには移動しない固定レンズ群である。図１、３、５、７、９、１１において、Ｕ２、Ｕ３はズーミングに際して移動する負の屈折力の第２、第３レンズ群であり、Ｕ２及びＵ３の２つのレンズ群でズーム系（変倍群）を構成している。Ｕ４はズーミングのためには移動しない結像作用をする正の屈折力の第４レンズ群（リレーレンズ群）である。図１３において、Ｕ２、Ｕ３、Ｕ４はズーミングに際して移動する負の屈折力の第２、第３、第４レンズ群であり、Ｕ２、Ｕ３、Ｕ４の３つのレンズ群でズーム系（変倍群）を構成している。Ｕ５はズーミングのためには移動しない結像作用をする正の屈折力の第５レンズ群（リレーレンズ群）である。
【００２４】
ＳＰは絞り（開口絞り）である。Ｉは撮像面であり、放送用テレビカメラ、映画用カメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００２５】
収差図において、球面収差における直線と二点鎖線と一点鎖線と破線は各々ｅ線、g線、Ｃ線、Ｆ線である。非点収差における破線と実線は各々メリディオナル像面，サジタル像面であり、倍率色収差における二点鎖線と一点鎖線と破線は各々ｇ線、Ｃ線、Ｆ線である。ωは半画角、ＦｎｏはＦナンバーである。尚、以下の参考例、実施例においてズーム用のレンズ群が最も短焦点側の配置となった場合を広角端、最も長焦点側の配置となった場合を望遠端という。
各参考例において、本発明のズームレンズは、物体側から像側へ順に、ズーミングのためには移動しない正の屈折力の第１レンズ群Ｕ１、ズーミングに際して移動する負の屈折力の第２レンズ群Ｕ２を有する。更に最も像側にズーミングのためには移動しない正の屈折力の第Ｎレンズ群ＵＮを有する。第２レンズ群Ｕ２は最も像側の２つのレンズが正レンズと負レンズから構成されている。第２レンズ群Ｕ２の正レンズの部分分散比とアッベ数を各々θｐ、νｐ、負レンズの部分分散比とアッベ数を各々θｎ、νｎとする。
【００２６】
このとき、
−３．０×１０-3＜（θｐ−θｎ）／（νｐ−νｎ）＜０  ・・・（１）
なる条件を満足している。
【００２７】
但し、νｐ、νｎはｄ線に関するアッベ数、θｐ、θｎはｇ線とＦ線に関する部分分散比である。
【００２８】
各参考例のズームレンズは、第２レンズ群Ｕ２のレンズ構成や各レンズの材料の分散特性の条件を適切に規定することを特徴としている。ここで条件式（１）は、全ての焦点距離において倍率色収差の二次スペクトルを適切に補正するための条件である。各参考例のズームレンズでは、第２レンズ群Ｕ２のレンズ構成やレンズの材料の分散特性が、全ての焦点距離において倍率色収差の二次スペクトルを良好に補正するために重要な要素となっている。条件式（１）を満足することにより、第２レンズ群Ｕ２において倍率色収差の二次スペクトルの残存量を減少させ、これにより広角端において倍率色収差の二次スペクトルを軽減している。通常、倍率色収差の二次スペクトルは広角端において光軸より離れる方向に残存し、望遠端において光軸に近い方向に残存している。よって、第２レンズ群Ｕ２の倍率色収差の二次スペクトルの残存量を減少させることで、望遠端において倍率色収差の二次スペクトルは増加する。しかしながら、広角端における二次スペクトルの補正量の方が大きいため、倍率色収差のズーム変動は補正される。
【００２９】
図１５は負の屈折力のレンズ群ＬＮによる２色の色消しと二次スペクトル残存に関する模式図である。図１６は現存する光学材料のアッベ数νと部分分散比θの分布の模式図である。ここでアッベ数νおよび部分分散比θは、ｇ線における屈折率をｎｇ、Ｆ線における屈折率をｎＦ、ｄ線における屈折率をｎｄ、Ｃ線における屈折率をｎＣとしたとき、
ν＝（ｎｄ−１）／（ｎＦ−ｎＣ）    ・・・（ア）
θ＝（ｎｇ−ｎＦ）／（ｎＦ−ｎＣ）  ・・・（イ）
である。図１６に示すように、現存する光学材料はアッベ数νに対し部分分散比θが狭い範囲に分布しており、アッベ数νが小さいほど部分分散比θが大きい傾向を持っている。
【００３０】
屈折力がφ１、φ２、材料のアッベ数がν１、ν２の２枚のレンズＧ１、Ｇ２で構成される薄肉系（合成の屈折力φ）の色収差の補正条件は、
φ１／ν１＋φ２／ν２＝Ｅ  ・・・（ウ）
であらわされる。ここで、
φ＝φ１＋φ２  ・・・（エ）
である。（ウ）式において、Ｅ＝０とするとＣ線−Ｆ線の結像位置が合致する。
【００３１】
図１５において、負の屈折力のレンズ群ＬＮの色消しでは正レンズＧ１としてアッベ数ν１の小さな材料、負レンズＧ２としてアッベ数ν２の大きな材料を用いる。したがって図１６より正レンズＧ１は部分分散比θ１が大きく、負レンズは部分分散比θ２が小さくなって、Ｆ線とＣ線で色収差を補正するとｇ線の結像点が像側にずれる。このずれ量を二次スペクトル量Δとして定義すると、
Δ＝−（１／φ）×（θ１−θ２）／（ν１−ν２）  ・・・（オ）
であらわされる。
【００３２】
また、各面における軸上マージナル光線高さをｈ、瞳近軸光線高さをｈｂａｒとしたとき、倍率色収差量Ｙは、
Ｙ＝−（Σ（ｈ×ｈｂａｒ×Ｅ））ｔａｎω  ・・・（カ）
であらわされる。つまり軸上マージナル光線高さｈと瞳近軸光線高さｈｂａｒの積に比例する。
【００３３】
図１７は広角端及び望遠端における光路図を示しており、軸上マージナル光線を実線、瞳近軸光線を破線で示している。第２レンズ群Ｕ２は、広角端において軸上マージナル光線高さが物体側から像側へ順に低くなり、瞳近軸光線高さは物体側から像側へ順に高くなっている。そして、第２レンズ群Ｕ２の各レンズにおける軸上マージナル光線高さｈと瞳近軸光線高さｈｂａｒの積は、殆ど変化がない。つまり第２レンズ群Ｕ２においてレンズの位置に依る倍率色収差の補正量に差は殆どない。
【００３４】
一方、望遠端において軸上マージナル光線高さが物体側から像側へ順に高くなり、瞳近軸光線高さは物体側から像側へ順に低くなっている。そして、第２レンズ群Ｕ２の各レンズにおける軸上マージナル光線高さｈと瞳近軸光線高さｈｂａｒの積は、像側のレンズの方が小さい。これは第２レンズＵ２が望遠端では絞りに近づき、瞳近軸光線高さが低いためである。よって、倍率色収差の二次スペクトルのズーム変動を補正するためには、第２レンズ群Ｕ２の像側のレンズに適切な材料を選択することが効果的である。つまり像側の正レンズに部分分散比の小さいレンズを用い、像側の負レンズに部分分散比の大きいレンズを用いるのが良い。
【００３５】
条件式（１）の上限を超えると、望遠端において第２レンズ群Ｕ２で補正する二次スペクトル量が小さくなり、軸上色収差を良好に補正することが困難となる。条件式（１）の下限を超えると、広角端において第２レンズ群Ｕ２の二次スペクトル量が大きくなり、広角端における倍率色収差及び倍率色収差のズーム変動を良好に補正することが困難となる。
【００３６】
更に好ましくは条件式（１）の数値範囲を次の如く設定するのが良い。
−２．９×１０-3＜（θｐ−θｎ）／（νｐ−νｎ）＜−１.０×１０-3
・・・（１ａ）
【００３７】
さらに、本発明のズームレンズは、第２レンズ群Ｕ２の全てのレンズの屈折率の平均値をｎａｖｅとしたとき、
１．７＜ｎａｖｅ＜２．０  ・・・（２）
なる条件を満足している。
【００３８】
条件式（２）は、第２レンズ群Ｕ２の全てのレンズの平均屈折率を規定している。各参考例のズームレンズでは、レンズの大型化や諸収差の補正のために、第２レンズ群Ｕ２の全てのレンズの平均屈折率を設定している。条件式（２）を満足することにより、レンズの大型化を抑制しつつ、諸収差を良好に補正可能なズームレンズを得ることが可能となる。
【００３９】
条件式（２）の上限を超えると、現存する光学材料においては、正レンズと負レンズのアッベ数差が小さくなり、式（ウ）（エ）に示すように第２レンズ群Ｕ２の各レンズの屈折力が大きくなる。よって、諸収差、特に広角側の軸外収差変動や望遠側の球面収差変動を良好に補正することが困難となる。条件式（２）の下限を超えると、第２レンズ群Ｕ２の各レンズの屈折力を大きくすることができないので、ズーミングに必要な移動量が増大し、レンズが大型化してしまう。
【００４０】
更に好ましくは条件式（２）の数値範囲を次の如く設定するのが良い。
１．７４＜ｎａｖｅ＜１．９５  ・・・（２ａ）
【００４１】
以上の各条件を満たすことにより、本発明の各参考例はズーム全域において収差補正が良好に補正された、小型、軽量なズームレンズを得ている。
各参考例において、更に好ましくは、第２レンズ群Ｕ２の焦点距離をｆ２、広角端の焦点距離をｆｗとしたとき、
−２．５＜ｆ２／ｆｗ＜０  ・・・（３）
なる条件を満足するのが良い。
条件式（３）は、第２レンズ群Ｕ２と広角端の焦点距離の比を規定している。
【００４２】
条件式（３）の上限を超えると、第２レンズ群Ｕ２の焦点距離が相対的に短くなるため、広角側のズームに伴う軸外諸収差の変動抑制、特に歪曲や像面湾曲の抑制や、望遠側のズームに伴う諸収差の変動抑制、特に球面収差の抑制が困難となる。条件式（３）の下限を超えると、第２レンズ群Ｕ２の焦点距離が相対的に長くなるため、ズームに必要な移動量が増え、レンズ全体の大型化に繋がる。
【００４３】
更に好ましくは条件式（３）の数値範囲を次の如く設定するのが良い。
−１．５０＜ｆ２／ｆｗ＜−１．００  ・・・（３ａ）
【００４４】
各参考例において、更に好ましくは、第１レンズ群Ｕ１の焦点距離をｆ１としたとき、
−５．０＜ｆ１／ｆ２＜０  ・・・（４）
なる条件を満足するのが良い。
条件式（４）は、第１レンズ群Ｕ１と第２レンズ群Ｕ２の焦点距離の比を規定している。
【００４５】
条件式（４）の上限を超えると、第１レンズ群Ｕ１の焦点距離が相対的に短くなるため、諸収差の補正、特に望遠側における色収差の補正が困難となる。また、製造誤差が性能に与える影響が大きくなるため、製造バラツキによる性能低下が大きくなる。
【００４６】
条件式（４）の下限を超えると、第１レンズ群Ｕ１の焦点距離が相対的に長くなるため、ズームに必要な移動量が増え、レンズ全体の大型化に繋がる。
【００４７】
更に好ましくは条件式（４）の数値範囲を次の如く設定するのが良い。
−２．５５＜ｆ１／ｆ２＜−１．００  ・・・（４ａ）
【００４８】
各参考例において、更に好ましくは、第２レンズ群Ｕ２の物体側から像側へｉ番目のレンズの屈折率をｎｉ、アッベ数をνｉとしたとき、
１．８＜ｎｉ＜２．２  ・・・（５）
１５＜νｉ＜３０  ・・・（６）
なる条件を満足する少なくとも１つの正レンズを含むのが良い。但し、ｎｉはｄ線に関する屈折率、νｉはｄ線に関するアッベ数である。
条件式（５）は、第２レンズ群Ｕ２に少なくとも１つ含まれる正レンズの屈折率を規定している。
【００４９】
条件式（５）の上限を超えると、現存する光学材料においては、特に短波長側の透過率が低いため、カメラで感度補正をすると青色の被写体にノイズが発生し易くなる。条件式（５）の下限を超えると、諸収差の悪化、またはレンズ枚数の増加に繋がる。
【００５０】
条件式（６）は、第２レンズ群Ｕ２に少なくとも１つ含まれる正レンズのアッベ数を規定している。
【００５１】
条件式（６）の上限を超えると、式（ウ）（エ）に示すように、Ｃ線−Ｆ線の結像位置が合致させるためには、第２レンズＵ２の正レンズは小さいアッベ数である必要があるため、色収差が残存する。
【００５２】
条件式（６）の下限を超えると、現存する光学材料においては、図１６に示すようにアッベ数が小さいほど部分分散比が大きい傾向を持っているため、倍率色収差のズーム変動を良好に補正することが困難となる。
【００５３】
更に好ましくは条件式（５）（６）の数値範囲を次の如く設定するのが良い。
１．８２＜ｎｉ＜２．０５  ・・・（５ａ）
２０＜νｉ＜２７  ・・・（６ａ）
【００５４】
各参考例において、更に好ましくは、第２レンズ群Ｕ２の物体側から像側へｉ番目のレンズの、ｇ線とＦ線に関する部分分散比をθｉ、ｄ線に関するアッベ数をνｉとしたとき、
０．６４８＜θｉ＋２．５３×１０-3×νｉ＜０．６７８  ・・・（７）
なる条件を満足する少なくとも１つの正レンズを含むのが良い。
条件式（７）は、第２レンズ群Ｕ２に少なくとも１つ含まれる正レンズの部分分散比を規定している。
【００５５】
条件式（７）の上限を超えると、式（オ）に示すように、広角端において第２レンズ群Ｕ２の二次スペクトル量が大きくなり、広角端における倍率色収差及び倍率色収差のズーム変動を良好に補正することが困難となる。
【００５６】
条件式（７）の下限を超えると、式（オ）に示すように、望遠端において第２レンズ群Ｕ２で補正する二次スペクトル量が小さくなり、軸上色収差を良好に補正することが困難となる。
【００５７】
更に好ましくは条件式（７）の数値範囲は次の如く設定するのが良い。
０．６５８＜θｉ＋２．５３×１０-3×νｉ＜０．６７０  ・・・（７ａ）
【００５８】
各参考例において、更に好ましくは、条件式（５）〜（７）を満足する正レンズは第２レンズＵ２の最も物体側の正レンズであるのが良い。これにより、倍率色収差の二次スペクトルのズーム変動の補正が容易になる。
【００５９】
各参考例において、更に好ましくは、第２レンズ群Ｕ２は、３つの負レンズと１つの正レンズを有するのが良い。これにより、諸収差の抑制、特に広角側の軸外諸収差のズーム変動の補正が容易となる。
【００６０】
実施例において、物体側から像側へ順に、ズーミングのためには移動しない正の屈折力の第１レンズ群Ｕ１、ズーミングに際して移動する負の屈折力の第２レンズ群Ｕ２、ズーミングに際して移動する第３レンズ群Ｕ３を有する。更に最も像側にズーミングのためには移動しない正の屈折力の第Ｎレンズ群ＵＮを有する。第２レンズ群Ｕ２及び第３レンズ群Ｕ３を構成するレンズのうち最も像側の２つのレンズは、正レンズ及び負レンズで構成されている。すなわち、第３レンズ群Ｕ３の最も像側の２つのレンズ、または第３レンズ群Ｕ３が１つのレンズで構成されている場合は、第３レンズ群Ｕ３と第２レンズ群Ｕ２の最も像側のレンズは、正レンズと負レンズから構成されている。その正レンズの部分分散比とアッベ数を各々θｐ２３、νｐ２３、負レンズの部分分散比とアッベ数を各々θｎ２３、νｎ２３とする。
【００６１】
このとき、
−３．０×１０-3＜（θｐ２３−θｎ２３）／（νｐ２３−νｎ２３）＜０
・・・（８）
なる条件を満足している。
但し、νｐ２３、νｎ２３はｄ線に関するアッベ数、θｐ２３、θｎ２３はｇ線とＦ線に関する部分分散比である。
【００６２】
条件式（８）の上限を超えると、望遠端において第２レンズ群Ｕ２と第３レンズＵ３で補正する二次スペクトル量が小さくなり、軸上色収差を良好に補正することが困難となる。条件式（８）の下限を超えると、広角端において第２レンズ群Ｕ２と第３レンズＵ３の二次スペクトル量が大きくなり、広角端における倍率色収差及び倍率色収差のズーム変動を良好に補正することが困難となる。
【００６３】
更に好ましくは条件式（８）の数値範囲を次の如く設定するのが良い。
−２．９×１０-3＜（θｐ２３−θｎ２３）／（νｐ２３−νｎ２３）＜−１.０×１０-3  ・・・（８ａ）
【００６４】
また、実施例におけるズームレンズは、第２レンズ群Ｕ２と第３レンズ群Ｕ３の全てのレンズの屈折率の平均値をｎａｖｅ２３とするとき、
１．７＜ｎａｖｅ２３＜２．０  ・・・（９）
なる条件を満足している。
【００６５】
条件式（９）は、第２レンズ群Ｕ２と第３レンズＵ３の全てのレンズの平均屈折率を規定している。実施例のズームレンズでは、レンズの大型化や諸収差の補正のために、第２レンズ群Ｕ２と第３レンズＵ３の全てのレンズの平均屈折率を設定している。条件式（９）を満足することにより、レンズの大型化を抑制しつつ、諸収差を良好に補正可能なズームレンズを得ることが可能となる。
【００６６】
条件式（９）の上限を超えると、現存する光学材料においては、正レンズと負レンズのアッベ数差が小さくなり、式（ウ）（エ）に示すように第２レンズ群Ｕ２と第３レンズ群Ｕ３の各レンズの屈折力が大きくなる。よって、諸収差、特に広角側の軸外収差変動や望遠側の球面収差変動を良好に補正することが困難となる。条件式（９）の下限を超えると、第２レンズ群Ｕ２と第３レンズ群Ｕ３の各レンズの屈折力を大きくすることができないので、ズーミングに必要な移動量が増大し、レンズが大型化してしまう。
【００６７】
更に好ましくは条件式（９）の数値範囲を次の如く設定するのが良い。
１．７４＜ｎａｖｅ２３＜１．９５  ・・・（９ａ）
【００６８】
実施例におけるズームレンズは、更に好ましくは、ズーミングのために移動する負の屈折力の第３レンズ群Ｕ３を有し、第２レンズＵ２と第３レンズ群Ｕ３の広角端における合成焦点距離をｆ２３としたとき、
−２．５＜ｆ２３／ｆｗ＜０  ・・・（１０）
なる条件を満足するのが良い。
条件式（１０）は、第２レンズ群Ｕ２と第３レンズ群Ｕ３の広角端における合成焦点距離と広角端焦点距離の比を規定している。
【００６９】
条件式（１０）の上限を超えると、広角端の合成焦点距離ｆ２３が相対的に短くなるため、広角側のズームに伴う軸外諸収差の変動抑制、特に歪曲や像面湾曲の抑制や、望遠側のズームに伴う諸収差の変動抑制、特に球面収差の抑制が困難となる。条件式（１０）の下限を超えると、広角端の合成焦点距離ｆ２３が相対的に長くなるため、ズームに必要な移動量が増え、レンズ全体の大型化に繋がる。
【００７０】
更に好ましくは条件式（１０）の数値範囲を次の如く設定するのが良い。
−１．５０＜ｆ２３／ｆｗ＜−１．００  ・・・（１０ａ）
【００７１】
実施例におけるズームレンズは、更に好ましくは、ズーミングのために移動する負の屈折力の第３レンズ群Ｕ３を有し、第２レンズＵ２と第３レンズ群Ｕ３の広角端における合成焦点距離をｆ２３としたとき、
−５．０＜ｆ１／ｆ２３＜０  ・・・（１１）
なる条件を満足するのが良い。
条件式（１１）は、第１レンズ群Ｕ１に対する第２レンズ群Ｕ２と第３レンズ群Ｕ３の広角端における焦点距離の比を規定している。
【００７２】
条件式（１１）の上限を超えると、第１レンズ群Ｕ１の焦点距離が相対的に短くなるため、諸収差の補正、特に望遠側における色収差の補正が困難となる。また、製造誤差が性能に与える影響が大きくなるため、製造バラツキによる性能低下が大きくなる。
【００７３】
条件式（１１）の下限を超えると、第１レンズ群Ｕ１の焦点距離が相対的に長くなるため、ズームに必要な移動量が増え、レンズ全体の大型化に繋がる。
【００７４】
更に好ましくは条件式（１１）の数値範囲を次の如く設定するのが良い。
−２．５５＜ｆ１／ｆ２３＜−１．００  ・・・（１１ａ）
【００７５】
実施例におけるズームレンズは、更に好ましくは、第２レンズ群Ｕ２及び第３レンズ群Ｕ３の物体側から像側へｉ番目のレンズの屈折率をｎｉ２３、アッベ数をνｉ２３としたとき、
１．８＜ｎｉ２３＜２．２  ・・・（１２）
１５＜νｉ２３＜３０  ・・・（１３）
なる条件を満足する少なくとも１つの正レンズを含むのが良い。但し、ｎｉ２３はｄ線に関する屈折率、νｉ２３はｄ線に関するアッベ数である。
【００７６】
条件式（１２）は、第２レンズ群Ｕ２及び第３レンズ群Ｕ３に少なくとも１つ含まれる正レンズの屈折率を規定している。
条件式（１２）の上限を超えると、現存する光学材料においては、特に短波長側の透過率が低いため、カメラで感度補正をすると青色の被写体にノイズが発生し易くなる。条件式（１２）の下限を超えると、諸収差の悪化、またはレンズ枚数の増加に繋がる。
【００７７】
条件式（１３）は、第２レンズ群Ｕ２及び第３レンズ群Ｕ３に少なくとも１つ含まれる正レンズのアッベ数を規定している。
条件式（１３）の上限を超えると、式（ウ）（エ）に示すように、Ｃ線−Ｆ線の結像位置が合致させるためには、第２レンズＵ２及び第３レンズ群Ｕ３の正レンズは小さいアッベ数である必要があるため、色収差が残存する。
条件式（１３）の下限を超えると、現存する光学材料においては、図１６に示すようにアッベ数が小さいほど部分分散比が大きい傾向を持っているため、倍率色収差のズーム変動を良好に補正することが困難となる。
【００７８】
更に好ましくは条件式（１２）（１３）の数値範囲を次の如く設定するのが良い。
１．８２＜ｎｉ２３＜２．０５  ・・・（１２ａ）
２０＜νｉ２３＜２７  ・・・（１３ａ）
【００７９】
実施例におけるズームレンズは、更に好ましくは、第２レンズ群Ｕ２及び第３レンズ群Ｕ３の物体側から像側へｉ番目のレンズの、ｇ線とＦ線に関する部分分散比をθｉ２３、ｄ線に関するアッベ数をνｉ２３としたとき、
０．６４８＜θｉ２３＋２．５３×１０-3×νｉ２３＜０．６７８  ・・・（１４）
なる条件を満足する少なくとも１つの正レンズを含むのが良い。
条件式（１４）は、第２レンズ群Ｕ２及び第３レンズ群Ｕ３に少なくとも１つ含まれる正レンズの部分分散比を規定している。
【００８０】
条件式（１４）の上限を超えると、式（オ）に示すように、広角端において第２レンズ群Ｕ２及び第３レンズ群Ｕ３の二次スペクトル量が大きくなり、広角端における倍率色収差及び倍率色収差のズーム変動を良好に補正することが困難となる。
条件式（１４）の下限を超えると、式（オ）に示すように、望遠端において第２レンズ群Ｕ２及び第３レンズ群Ｕ３で補正する二次スペクトル量が小さくなり、軸上色収差を良好に補正することが困難となる。
【００８１】
更に好ましくは条件式（１４）の数値範囲は次の如く設定するのが良い。
０．６５８＜θｉ２３＋２．５３×１０-3×νｉ２３＜０．６７０・・・（１４ａ）
【００８２】
実施例におけるズームレンズは、更に好ましくは、条件式（１２）〜（１４）を満足する正レンズは第２レンズＵ２及び第３レンズ群Ｕ３のうち最も物体側の正レンズであるのが良い。これにより、倍率色収差の二次スペクトルのズーム変動の補正が容易になる。
【００８３】
実施例および参考例１〜５におけるズームレンズは、更に好ましくは、第１レンズ群Ｕ１は、物体側から像側へ順に、焦点調整のためには移動しない負の屈折力の第１１レンズ群Ｕ１１有する。更に焦点調整の際に光軸に沿って移動する正の屈折力の第１２レンズ群Ｕ１２、焦点調整のためには移動しない正の屈折力の第１３レンズ群Ｕ１３から構成される。第１１レンズ群Ｕ１１の焦点距離をｆ１１としたとき、
−９．０＜ｆ１１／ｆ１＜−０．９  ・・・（１５）
なる条件を満足するのが良い。
条件式（１５）は、第１レンズ群Ｕ１と第１１レンズ群Ｕ１１の焦点距離の比を規定している。
【００８４】
条件式（１５）の上限を超えると、第１１レンズ群Ｕ１１の焦点距離が相対的に短くなるため、広角側のズームに伴う軸外諸収差の変動抑制、特に歪曲や像面湾曲の抑制が困難となる。条件式（１５）の下限を超えると、第１１レンズ群Ｕ１１の焦点距離が相対的に長くなるため、第１レンズ群Ｕ１のレンズ径が大きくなり広角化が困難となる。また、フォーカシング時の画界変化の抑制も困難となる。
【００８５】
更に好ましくは条件式（１５）の数値範囲を次の如く設定するのが良い。
−１．４５＜ｆ１１／ｆ１＜−０．９５  ・・・（１５ａ）
【００８６】
実施例および参考例１〜５におけるズームレンズは、更に好ましくは、第１１レンズ群Ｕ１１の焦点距離をｆ１１、第１３レンズ群Ｕ１３の焦点距離をｆ１３としたとき、
−１．５＜ｆ１３／ｆ１１＜−０．５  ・・・（１６）
なる条件を満足するのが良い。
条件式（１６）は、第１１レンズ群Ｕ１１と第１３レンズ群Ｕ１３の焦点距離の比を規定している。
【００８７】
条件式（１６）の上限を超えると、第１１レンズ群Ｕ１１の焦点距離が相対的に長くなることで第１レンズ群Ｕ１の主点を像側に近付けることが困難となり、第１レンズ群Ｕ１のレンズ径が大きくなり広角化が困難となる。条件式（１３）の下限を超えると、第１１レンズ群Ｕ１１の焦点距離が相対的に短くなることで第１１レンズ群Ｕ１１のレンズ枚数増加に繋がり、第１レンズ群Ｕ１のレンズ径が大きくなり広角化が困難となる。
【００８８】
更に好ましくは条件式（１３）の数値範囲を次の如く設定するのが良い。
−１．３５＜ｆ１３／ｆ１１＜−０．８０  ・・・（１６ａ）
【００８９】
さらに、実施例および参考例１〜６におけるズームレンズは、
１．５＜ｆ１／ｆｗ＜９．０  ・・・（１７）
なる条件を満足するのが良い。
条件式（１７）は、第１レンズ群Ｕ１の焦点距離と広角端の焦点距離の比を規定している。実施例および参考例１〜６のズームレンズでは、第１レンズ群Ｕ１の焦点距離が高い光学性能と小型化を両立するために重要な要素となっている。条件式（１７）を満足することにより、広角端において第１レンズ群Ｕ１を通過する軸外の光束の高さを規定し、レンズの大型化を抑制しつつ、諸収差を良好に補正することが可能となる。
【００９０】
条件式（１７）の上限を超えると、第１レンズ群Ｕ１の屈折力が小さくなり、第１レンズ群Ｕ１を通過する軸外の光束の高さが高くなることで、レンズが大型化してしまう。条件式（１７）の下限を超えると、第１レンズ群Ｕ１の屈折力が大きくなり、特に望遠側における色収差及び諸収差の補正が困難となる。
【００９１】
更に好ましくは条件式（１７）の数値範囲を次の如く設定するのが良い。
２．００＜ｆ１／ｆｗ＜３．３０  ・・・（１７ａ）
【００９２】
さらに、実施例および参考例１〜６におけるズームレンズは、無限遠に合焦している状態で無限遠より軸上光束が入射する際の前記第Ｎレンズ群の広角端における横倍率をβｎｗとしたとき、
−２．７＜βｎｗ＜−１．０  ・・・（１８）
なる条件を満足するのが良い。
条件式（１８）は、第Ｎレンズ群ＵＮの横倍率を規定している。実施例および参考例１〜６のズームレンズでは、レンズの大型化や製造誤差が性能に与える影響を抑制するために、第Ｎレンズ群ＵＮの横倍率を適切に設定している。条件式（１８）を満足することにより、レンズの大型化を抑制しつつ、製造性の良いズームレンズを得ることが可能となる。
【００９３】
条件式（１８）の上限を超えると、第Ｎレンズ群ＵＮより前のレンズの大型化に繋がり、特に第１レンズ群Ｕ１の有効径が大きくなってしまう。条件式（１８）の下限を超えると、第Ｎレンズ群ＵＮより前のレンズの拡大率が大きくなり、諸収差の補正、特に望遠側における色収差の補正が困難となる。また、製造誤差が性能に与える影響が大きくなるため、製造バラツキによる性能低下が大きくなる。
【００９４】
更に好ましくは条件式（１８）の数値範囲を次の如く設定するのが良い。
−２．４０＜βｎｗ＜−１．５０  ・・・（１８ａ）
【００９５】
次に実施例および参考例１〜６のレンズ構成の特徴について説明する。
参考例１において、第１レンズ群Ｕ１は第１レンズ面〜第２１レンズ面に対応する。第２レンズ群Ｕ２は第２２レンズ面〜第３１レンズ面に対応する。第３レンズ群Ｕ３は第３２レンズ面〜第３４レンズ面に対応する。第４レンズ群Ｕ４は第３６レンズ面〜第５３レンズ面に対応する。
【００９６】
広角端から望遠端へのズーミングに際して、第２レンズ群Ｕ２が像側へ直線的に移動するとき、第３レンズ群Ｕ３は物体側に凸の軌跡を描きながら略往復移動する。
【００９７】
後述する表１に示すように参考例１は条件式（１）〜（４）、（１５）〜（１８）の何れの条件式も満足しており、また、参考例１の数値データに示すように条件式（５），（６）を満たす。また、第２レンズ群Ｕ２の物体側から像側へ３番目と５番目のレンズが条件式（７）を満足する正レンズである。この構成により、１０．００倍の高ズーム比で広角端における撮影画角（画角）８１．６５°と広画角化を達成している。且つズーム全域において諸収差を良好に補正した高い光学性能を得ている。
【００９８】
参考例２において、第１レンズ群Ｕ１は第１レンズ面〜第１８レンズ面に対応する。第２レンズ群Ｕ２は第１９レンズ面〜第２５レンズ面に対応する。第３レンズ群Ｕ３は第２６レンズ面〜第２８レンズ面に対応する。第４レンズ群Ｕ４は第３０レンズ面〜第４８レンズ面に対応する。
【００９９】
広角端から望遠端へのズーミングに際して、第２レンズ群Ｕ２が像側へ直線的に移動するとき、第３レンズ群Ｕ３は物体側に凸の軌跡を描きながら略往復移動する。
【０１００】
後述する表１に示すように参考例２は条件式（１）〜（４）、（１５）〜（１８）の何れの条件式も満足しており、また、参考例２の数値データに示すように条件式（５），（６）を満たす。また、第２レンズ群Ｕ２の物体側から像側へ３番目のレンズが条件式（７）を満足する正レンズである。この構成により、５．００倍の高ズーム比で広角端における撮影画角（画角）９２．０６°と広画角化を達成している。且つズーム全域において諸収差を良好に補正した高い光学性能を得ている。
【０１０１】
参考例３において、第１レンズ群Ｕ１は第１レンズ面〜第１８レンズ面に対応する。第２レンズ群Ｕ２は第１９レンズ面〜第２７レンズ面に対応する。第３レンズ群Ｕ３は第２８レンズ面〜第３０レンズ面に対応する。第４レンズ群Ｕ４は第３２レンズ面〜第５１レンズ面に対応する。
【０１０２】
広角端から望遠端へのズーミングに際して、第２レンズ群Ｕ２は像側へ直線的に移動するとき、第３レンズ群Ｕ３は物体側に凸の軌跡を描きながら略往復移動する。
【０１０３】
後述する表１に示すように参考例３は条件式（１）〜（４）、（１５）〜（１８）の何れの条件式も満足しており、また、参考例３の数値データに示すように条件式（５），（６）を満たす。また、第２レンズ群Ｕ２の物体側から像側へ２番目と５番目のレンズが条件式（７）を満足する正レンズである。この構成により、８．００倍の高ズーム比で広角端における撮影画角（画角）７５．７３°と広画角化を達成している。且つズーム全域において諸収差を良好に補正した高い光学性能を得ている。
【０１０４】
参考例４において、第１レンズ群Ｕ１は第１レンズ面〜第１５レンズ面に対応する。第２レンズ群Ｕ２は第１６レンズ面〜第２３レンズ面に対応する。第３レンズ群Ｕ３は第２４レンズ面〜第２６レンズ面に対応する。第４レンズ群Ｕ４は第２８レンズ面〜第４５レンズ面に対応する。
【０１０５】
広角端から望遠端へのズーミングに際して、第２レンズ群Ｕ２が像側へ直線的に移動するとき、第３レンズ群Ｕ３は物体側に凸の軌跡を描きながら略往復移動する。
【０１０６】
後述する表１に示すように参考例４は条件式（１）〜（４）、（１５）〜（１８）の何れの条件式も満足しており、また、参考例４の数値データに示すように条件式（５），（６）を満たす。また、第２レンズ群Ｕ２の物体側から像側へ３番目のレンズが条件式（７）を満足する正レンズである。この構成により、５．００倍の高ズーム比で広角端における撮影画角（画角）７８．６０°と広画角化を達成している。且つズーム全域において諸収差を良好に補正した高い光学性能を得ている。
【０１０７】
参考例５において、第１レンズ群Ｕ１は第１レンズ面〜第１９レンズ面に対応する。第２レンズ群Ｕ２は第２０レンズ面〜第２７レンズ面に対応する。第３レンズ群Ｕ３は第２８レンズ面〜第３０レンズ面に対応する。第４レンズ群Ｕ４は第３２レンズ面〜第４８レンズ面に対応する。
【０１０８】
広角端から望遠端へのズーミングに際して、第２レンズ群Ｕ２が像側へ直線的に移動するとき、第３レンズ群Ｕ３は物体側に凸の軌跡を描きながら略往復移動する。
【０１０９】
後述する表１に示すように参考例５は条件式（１）〜（４）、（１５）〜（１８）の何れの条件式も満足しており、また、参考例５の数値データに示すように条件式（５），（６）を満たす。また、第２レンズ群Ｕ２の物体側から像側へ３番目のレンズが条件式（７）を満足する正レンズである。この構成により、４．００倍の高ズーム比で広角端における撮影画角（画角）９６．０１°と広画角化を達成している。且つズーム全域において諸収差を良好に補正した高い光学性能を得ている。
【０１１０】
参考例６において、第１レンズ群Ｕ１は第１レンズ面〜第１１レンズ面に対応する。第２レンズ群Ｕ２は第１２レンズ面〜第２０レンズ面に対応する。第３レンズ群Ｕ３は第２１レンズ面〜第２３レンズ面に対応する。第４レンズ群Ｕ４は第２５レンズ面〜第４１レンズ面に対応する。第４２レンズ面〜第４４レンズ面はカメラの光学フィルタや色分解光学系を模したガラスブロックに対応する。
【０１１１】
広角端から望遠端へのズーミングに際して、第２レンズ群Ｕ２が像側へ直線的に移動するとき、第３レンズ群Ｕ３は物体側に凸の軌跡を描きながら略往復移動する。
【０１１２】
後述する表１に示すように参考例６は条件式（１）〜（４）、（１５）、（１７）、（１８）の何れの条件式も満足しており、また、参考例６の数値データに示すように条件式（５），（６）を満たす。また、第２レンズ群Ｕ２の物体側から像側へ４番目のレンズが条件式（７）を満足する正レンズである。この構成により、１５．００倍の高ズーム比で広角端における撮影画角（画角）６９．０２°と広画角化を達成している。且つズーム全域において諸収差を良好に補正した高い光学性能を得ている。
【０１１３】
実施例において、第１レンズ群Ｕ１は第１レンズ面〜第２１レンズ面に対応する。第２レンズ群Ｕ２は第２２レンズ面〜第２６レンズ面に対応する。第３レンズ群Ｕ３は第２７レンズ面〜第３０レンズ面に対応する。第４レンズ群Ｕ４は第３１レンズ面〜第３３レンズ面に対応する。第５レンズ群Ｕ５は第３５レンズ面〜第５２レンズ面に対応する。
【０１１４】
広角端から望遠端へのズーミングに際して、第２レンズ群Ｕ２が像側へ直線的に移動するとき、第３レンズ群Ｕ３も像側へ略直線的に移動する。第２レンズ群Ｕ２と第３レンズ群Ｕ３の間隔は広角端から望遠端へのズーミング際して間隔が広がる方向に移動し、第４レンズ群Ｕ４は物体側に凸の軌跡を描きながら略往復移動する。
【０１１５】
後述する表１に示すように数値実施例は条件式（１）〜（４）、（８）〜（１１）、（１５）〜（１８）の何れの条件式も満足しており、また、数値実施例の数値データに示すように条件式（５）、（６）、（１２）、（１３）を満たす。また、第２レンズ群Ｕ２の物体側から像側へ２番目のレンズが条件式（７）、（１４）を満足する正レンズである。また、第３レンズ群Ｕ３の物体側から像側へ２番目のレンズが条件式（１４）を満足する正レンズである。この構成により、６．５０倍の高ズーム比で広角端における撮影画角（画角）８０．１０°と広画角化を達成している。且つズーム全域において諸収差を良好に補正した高い光学性能を得ている。
【０１１６】
以上のように各参考例、実施例によれば、各レンズ群の屈折力配置やズーム用の移動レンズ群の移動軌跡等を適切に規定している。これにより、高ズーム比化と広画角化を両立しつつ、諸収差を良好に補正したズームレンズを得ている。
【０１１７】
図１８は参考例、実施例のズームレンズを撮影光学系として用いた撮像装置（テレビカメラシステム）の要部概略図である。図１８において１０１は参考例、実施例のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、ズーム部ＬＺ、結像用の第Ｎレンズ群Ｒを有している。第１レンズ群Ｆはフォーカシングのために光軸上を移動するフォーカス用レンズ群Ｕ１２、フォーカシングの際に固定のレンズ群Ｕ１１、Ｕ１３が含まれている。
【０１１８】
ズーム部ＬＺは参考例のズーミングのために光軸上を移動する第２、第３レンズ群Ｕ２、Ｕ３と、実施例のズーミングのためには光軸上を移動する第２〜第４レンズ群Ｕ２〜Ｕ４が含まれている。ＳＰは開口絞りである。１１４、１１５は各々第１２レンズ群Ｕ１２、ズーム部ＬＺを光軸方向に駆動するヘリコイドやカム等の駆動機構である。
【０１１９】
１１６〜１１８は駆動機構１１４、１１５および開口絞りＳＰを電動駆動するモータ（駆動手段）である。１１９〜１２１は、第１２レンズ群Ｕ１２やズーム部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０はズームレンズ１０１によって形成された被写体像を受光するＣＣＤセンサやＣＭＯＳセンサ等の固体撮像素子（光電変換素子）である。
【０１２０】
また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【０１２１】
以上、本発明の好ましい実施例について説明したが、本発明はこれらの実施例に限定されないことはいうまでもなく、その要旨の範囲内で種々の変形及び変更が可能である。
【０１２２】
以下に、参考例および実施例に対する数値データを示す。各数値データにおいて、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。非球面は面番号の横に＊印を付けている。各参考例および実施例と前述した条件式との対応を表１に示す。
【０１２３】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６をそれぞれ非球面係数としたとき、次式で表している。また、「ｅ−Ｚ」は「×１０-Z」を意味する。
【０１２４】
【数１】
2019139253.tif 000003
【０１２５】
参考例１〜６はズーミングのために移動するレンズ群が２つであるため、片方の移動軌跡が決定されると他方の移動軌跡も決定する。しかし、実施例はズーミングのために移動するレンズ群が３つであるため、１つのレンズ群の移動軌跡を決定しても他の２つのレンズ群の移動軌跡が決定されない。よって、実施例は第２レンズ群と第３レンズ群の移動軌跡を示している。
【０１２６】
移動軌跡はｊをレンズ群の番号とし、光軸方向への移動量をｆｊ（ｙ）、光の進行方向を正、ｙは広角端から望遠端までの移動量を１として示し、Ｂｊ１、Ｂｊ２、Ｂｊ３、Ｂｊ４、Ｂｊ５、Ｂｊ６をそれぞれ移動係数としたとき、次式で表している。
【０１２７】
【数２】
2019139253.tif 000004
【０１２８】
＜参考例１の数値データ＞
単位 mm
面データ
面番号      r         d        nd        vd       θgF     有効径   焦点距離
1*     107.07477   3.50000  1.772499   49.60    0.5521     94.999    -94.002
2       42.77453  29.44657                                 74.747           
3     -111.18408   2.00000  1.772499   49.60    0.5521     74.020    -86.187
4      169.27879   0.19853                                 73.831           
5      111.15261   6.53424  1.959060   17.47    0.6599     74.684    162.844
6      362.57244   4.83576                                 74.310           
7*     402.11683   9.52789  1.620411   60.29    0.5426     73.646    143.795
8     -114.18218   7.22051                                 73.330           
9      273.53589  11.14023  1.496999   81.54    0.5374     67.740    131.565
10      -85.09102   1.32713                                 67.551           
11      -74.32274   2.00000  1.805181   25.42    0.6161     67.398   -164.470
12     -169.44313   1.00002                                 68.351           
13     2516.57481   1.80000  1.850259   32.27    0.5929     68.012    -98.133
14       81.30733  11.18444  1.438750   94.93    0.5343     67.555    149.790
15     -332.76941   0.20010                                 67.981           
16     7491.62170   5.08975  1.496999   81.54    0.5374     68.578    390.027
17     -199.54524   0.20000                                 69.118           
18     1595.58460   5.39098  1.595220   67.74    0.5442     69.947    305.715
19     -205.94799   0.20000                                 70.201           
20      216.17076  10.28079  1.730000   49.00    0.5575     70.182    104.355
21     -116.13168    (可変)                                 69.897           
22*      50.60782   1.00000  1.882997   40.76    0.5667     31.807    -41.311
23       21.07209   6.61768                                 27.724           
24      -79.54129   1.00000  1.754998   52.32    0.5476     27.582    -47.508
25       66.22881   0.99806                                 26.863           
26       48.90892   4.02300  1.882210   23.78    0.6036     26.802     40.333
27     -130.21404   1.94929                                 26.376           
28      -37.12529   1.00000  1.618000   63.33    0.5441     26.194    -55.128
29      438.13751   0.20000                                 25.725           
30       34.72260   1.88615  1.613397   44.30    0.5633     25.302    287.073
31       42.29949    (可変)                                 24.759           
32      -46.20252   1.00000  1.696797   55.53    0.5433     22.167    -45.199
33      101.17257   2.21450  1.808095   22.76    0.6307     23.128    112.579
34     -994.45522    (可変)                                 23.547           
35(絞り)    ∞      1.29695                                 28.883           
36      143.50842   4.48049  1.816000   46.62    0.5568     29.930     47.136
37      -52.16988   0.20000                                 30.182           
38       52.13637   6.23615  1.487490   70.23    0.5300     29.349     48.593
39      -41.96851   1.20000  2.000690   25.46    0.6133     28.856    -39.407
40      781.32347   0.19891                                 28.725           
41       22.82507   9.56381  1.516330   64.14    0.5352     28.572     29.895
42      -41.33452   1.00000  1.834000   37.16    0.5775     27.399    -26.832
43       50.02430   6.99907                                 25.923           
44      386.69864   3.99920  1.487490   70.23    0.5300     25.416     67.610
45      -36.04126   1.08491                                 25.291           
46       34.86509   4.96949  1.922860   20.88    0.6282     22.498     20.574
47      -39.79509   0.90000  1.882997   40.76    0.5667     21.517    -18.496
48       28.27246   8.88270                                 18.955           
49       37.01797   4.62848  1.438750   94.93    0.5343     16.005     25.301
50      -15.30482   1.00000  1.953750   32.32    0.5898     15.736    -12.619
51       60.19086   2.75426                                 16.455           
52       45.70173   3.00473  1.620411   60.29    0.5426     18.630     48.353
53      -86.09140  50.07000                                 18.983           
像面        ∞   
非球面データ
第1面
K = 1.92497e+000  A 4= 1.92902e-009  A 6= 6.26259e-011  A 8=-9.53828e-014  A10= 6.21216e-017  A12=-2.17747e-020  A14= 3.29927e-024  A16=-2.10130e-028  
第7面
K =-2.29488e+001  A 4=-4.72874e-007  A 6= 4.95024e-011  A 8= 4.20753e-014  A10=-7.75550e-017  A12= 9.10273e-020  A14=-5.11370e-023  A16= 1.17437e-026  
第22面
K = 5.48442e-001  A 4= 1.59884e-007  A 6=-3.77659e-009  A 8= 1.79255e-011  A10=-4.48568e-014  A12=-3.70888e-016  A14= 2.09083e-018  A16=-2.91328e-021  
各種データ
ズーム比     10.00 
広角     中間     望遠
焦点距離      18.00    63.00   180.00  
Fナンバー      4.00     4.00     4.95  
半画角        40.82    13.86     4.94  
像高          15.55    15.55    15.55  
レンズ全長   320.10   320.10   320.10  
BF            50.07    50.07    50.07  
d21            0.70    45.74    65.06  
d31           60.47     8.62     6.48  
d34           11.50    18.30     1.12  
入射瞳位置    57.50   105.61   175.05  
射出瞳位置   -33.80   -33.80   -33.80  
前側主点位置  71.63   121.28   -31.27  
後側主点位置  32.07   -12.93  -129.93  
ズームレンズ群データ
群  始面    焦点距離  レンズ構成長  前側主点位置  後側主点位置
1    1      57.00       113.08        71.51         43.38
2   22     -26.70        18.67         3.98         -9.70
3   32     -76.10         3.21        -0.16         -1.98
4   35      31.05        62.40       -11.09        -41.97
【０１２９】
＜参考例２の数値データ＞
単位 mm
面データ
面番号      r         d        nd        vd       θgF     有効径   焦点距離
1*      86.96069   2.80000  1.772499   49.60    0.5521     99.506    -85.846
2       37.19554  28.65314                                 72.568            
3      287.18991   2.20000  1.772499   49.60    0.5521     71.378   -151.018
4       82.96532   9.79457                                 68.012            
5      233.30951   2.20000  1.772499   49.60    0.5521     67.303    -81.001
6       49.32285   9.90654  1.922860   18.90    0.6495     64.827     83.114
7      122.07948   4.11145                                 64.165            
8      174.57379   7.40358  1.496999   81.54    0.5374     63.832    170.294
9*    -162.88781  10.55549                                 63.329            
10      219.22560  11.10101  1.618000   63.33    0.5441     61.797     87.081
11      -70.29224   0.51997                                 61.501            
12      -90.66362   2.00000  1.805181   25.42    0.6161     58.344    -51.316
13       77.98219   9.18481  1.496999   81.54    0.5374     56.765    117.857
14     -228.82556   0.21692                                 57.161            
15      229.51464  10.00000  1.595220   67.74    0.5442     57.792     89.884
16      -68.94195   0.20000                                 57.805            
17       57.54531   5.56934  1.730000   49.00    0.5575     50.901    114.868
18      174.06610    (可変)                                 50.045            
19*     222.99988   1.30000  1.772499   49.60    0.5521     29.397    -31.652
20       22.07423   8.73811                                 24.622            
21      -46.00024   0.90000  1.772499   49.60    0.5521     21.288    -21.359
22       26.14240   4.04203  1.846660   23.78    0.6034     21.985     24.438
23      -96.70044   2.91044                                 22.088            
24      -20.39226   0.90000  1.800999   34.97    0.5863     22.088    -89.160
25      -29.02640    (可変)                                 23.053            
26      -33.53567   0.90000  1.729157   54.68    0.5444     23.727    -29.601
27       62.00299   2.73134  1.846660   23.78    0.6205     25.908     73.336
28     5426.95120    (可変)                                 26.494            
29(絞り)    ∞      1.04258                                 27.557            
30      144.60763   5.80564  1.834807   42.71    0.5642     29.049     38.100
31      -40.31316   0.20000                                 29.778            
32      140.01330   2.90947  1.570989   50.80    0.5588     29.573    116.796
33     -127.51474   0.20000                                 29.431            
34       62.82013   7.44444  1.496999   81.54    0.5374     28.583     43.611
35      -31.93064   1.20000  2.000690   25.46    0.6133     27.614    -30.706
36     1097.65571   0.20000                                 27.561            
37       27.33320   3.43062  1.531717   48.84    0.5630     27.568    130.948
38       42.89669  17.98679                                 26.842            
39      -77.25420   4.44564  1.487490   70.23    0.5300     23.060    306.323
40      -51.93660  20.78154                                 22.786            
41       72.70188   7.72582  1.487490   70.23    0.5300     25.172     30.867
42      -18.39119   0.85000  1.953750   32.32    0.5898     25.094    -21.994
43     -145.10189   2.61020                                 27.091            
44      837.85153   6.19253  2.102050   16.77    0.6721     29.071     32.378
45      -37.66305   0.85000  2.000690   25.46    0.6133     29.817    -29.178
46      136.96902   0.19086                                 30.863            
47       42.04543   7.61002  1.487490   70.23    0.5300     32.756     52.334
48      -61.55333  33.54000                                 33.050            
像面        ∞   
非球面データ
第1面
K = 1.16599e+000  A 4= 2.14949e-007  A 6=-3.88534e-011  A 8= 1.50332e-014  
第9面
K =-9.49193e+000  A 4= 5.68085e-007  A 6= 2.51185e-010  A 8= 5.19688e-014  
第19面
K =-4.37435e+002  A 4= 1.00143e-005  A 6=-1.61464e-008  A 8= 2.99969e-011  
各種データ
ズーム比      5.00 
広角     中間     望遠
焦点距離      15.00    35.00    75.00  
Fナンバー      3.00     3.00     3.00  
半画角        46.03    23.96    11.71  
像高          15.55    15.55    15.55  
レンズ全長   300.20   300.20   300.20  
BF            33.54    33.54    33.54  
d18            0.99    21.34    32.89  
d25           32.46     9.59     1.98  
d28            2.70     5.23     1.28  
入射瞳位置    50.74    66.16    86.04  
射出瞳位置  -158.40  -158.40  -158.40  
前側主点位置  64.57    94.78   131.73  
後側主点位置  18.54    -1.46   -41.46  
ズームレンズ群データ
群  始面    焦点距離  レンズ構成長  前側主点位置  後側主点位置
1    1      32.00       116.42        59.75         30.90
2   19     -18.80        18.79         3.92        -10.58
3   26     -50.00         3.63        -0.04         -2.03
4   29      40.41        91.68        23.49       -102.31
【０１３０】
＜参考例３の数値データ＞
単位 mm
面データ
面番号      r         d        nd        vd       θgF     有効径   焦点距離
1     1464.37780   3.20000  1.772499   49.60    0.5521     96.525    -86.352
2       64.03231  23.73215                                 82.301           
3     -120.19877   2.70000  1.772499   49.60    0.5521     81.903   -157.539
4    -7122.29818   0.19535                                 83.622           
5      135.38385   5.79104  1.922860   20.88    0.6282     85.855    267.092
6      290.21299   1.99903                                 85.522           
7      251.24989  14.76690  1.620411   60.29    0.5426     85.401    125.798
8*    -111.29663   0.19558                                 84.900           
9    15648.74980  11.63370  1.496999   81.54    0.5374     79.023    170.753
10      -85.55687   2.50000  1.800000   29.84    0.6017     78.575   -158.224
11     -263.13162   7.30434                                 78.571           
12      122.72575   2.50000  1.737999   32.26    0.5899     76.826   -152.090
13       58.33771  17.98321  1.496999   81.54    0.5374     74.254     99.970
14     -306.67066   0.20000                                 74.127           
15      103.17491   9.28268  1.537150   74.81    0.5390     72.301    169.230
16     -760.39964   0.20000                                 71.562         
17       86.72637   6.50027  1.790000   45.50    0.5720     66.388    174.512
18      224.07742    (可変)                                 64.720         
19*      74.69742   1.20000  1.882997   40.76    0.5667     31.251    -28.364
20       18.69569   4.61081                                 25.802         
21      111.19420   6.40794  1.846660   23.78    0.6034     25.666     21.564
22      -21.51662   0.70000  1.882997   40.76    0.5667     24.826    -21.788
23      195.15304   3.40085                                 22.613         
24      -23.61290   0.70000  1.531717   48.84    0.5630     22.613    -35.863
25      102.69381   0.16000                                 24.460         
26       51.03251   3.67799  1.613397   44.30    0.5633     25.331     56.753
27     -108.33345    (可変)                                 25.686         
28      -33.59267   0.90000  1.651597   58.55    0.5426     26.194    -41.043
29      135.24634   2.33683  1.808095   22.76    0.6307     28.358    123.681
30     -395.42324    (可変)                                 28.934         
31(絞り)    ∞      1.29353                                 35.132         
32     1023.63042   4.51438  1.754998   52.32    0.5476     36.234     72.802
33      -58.25333   0.20000                                 36.777         
34       68.98860   5.01187  1.618000   63.33    0.5441     37.923     83.414
35     -201.24720   0.20000                                 37.777         
36       57.87442   5.13367  1.496999   81.54    0.5374     36.631     95.079
37     -253.95832   1.20000  2.001000   29.13    0.5997     36.011    -95.535
38      155.76709   0.19935                                 35.264         
39       43.83937  10.52855  1.516330   64.14    0.5352     34.451     47.261
40      -50.95133   1.10000  1.772499   49.60    0.5521     32.346    -41.715
41       89.67330  22.97015                                 30.835         
42       50.15394   4.85521  1.487490   70.23    0.5300     24.993     49.076
43      -44.57995   0.24116                                 24.899         
44       28.14197   5.77865  1.487490   70.23    0.5300     23.118     33.581
45      -36.79546   1.00000  2.000690   25.46    0.6133     22.243    -15.155
46       26.56639   2.41025                                 21.159         
47      180.15182   7.09223  1.808095   22.76    0.6307     21.404     18.393
48      -16.09271   1.00000  1.882997   40.76    0.5667     21.883    -16.763
49      204.71944   6.09212                                 23.295         
50       34.10624   4.80075  1.487490   70.23    0.5300     28.643     66.313
51     -632.14267  37.88000                                 28.727         
像面        ∞   
非球面データ
第8面
K = 7.64826e-001  A 4= 2.02728e-007  A 6= 5.93168e-011  A 8=-1.76160e-013  A10= 2.73743e-016  A12=-2.26960e-019  A14= 9.46924e-023  A16=-1.56898e-026  
第19面
K = 1.02944e+000  A 4= 4.84636e-006  A 6=-9.64701e-009  A 8= 5.80327e-011  A10=-3.77375e-013  A12= 1.18904e-015  A14=-9.44522e-019  A16=-1.67064e-021  
各種データ
ズーム比      8.00 
広角     中間     望遠
焦点距離      20.00    60.00   160.00  
Fナンバー      2.80     2.80     3.60  
半画角        37.87    14.53     5.55  
像高          15.55    15.55    15.55  
レンズ全長   310.06   310.06   310.06  
BF            37.88    37.88    37.88  
d18            0.69    30.37    44.35  
d27           41.68     8.49     6.50  
d30            9.40    12.91     0.93  
入射瞳位置    60.15   110.86   190.18  
射出瞳位置   -75.15   -75.15   -75.15  
前側主点位置  76.61   139.01   123.71  
後側主点位置  17.88   -22.12  -122.12  
ズームレンズ群データ
群  始面    焦点距離  レンズ構成長  前側主点位置  後側主点位置
1    1      52.10       110.68        61.22         20.90
2   19     -21.50        20.86         3.10        -11.59
3   28     -62.00         3.24        -0.27         -2.11
4   31      35.32        85.62         5.69        -68.37
【０１３１】
＜参考例４の数値データ＞
単位 mm
面データ
面番号      r         d        nd        vd       θgF     有効径   焦点距離
1      131.14622   3.00000  1.772499   49.60    0.5521     90.070    -91.906
2       45.74280  23.07058                                 73.485         
3     -190.51759   2.50000  1.754998   52.32    0.5476     73.046    -92.545
4      111.76131   2.70555                                 72.305         
5      102.35624   6.78100  1.922860   20.88    0.6282     73.869    158.066
6      323.65984   2.07854                                 73.551         
7*     198.12409   7.52728  1.620411   60.29    0.5426     73.308    200.459
8     -332.71985  10.42728                                 72.900         
9      105.74456  10.78155  1.595220   67.74    0.5442     72.731    130.062
10     -281.63972   0.20000                                 72.228         
11      125.39952   2.00000  1.882210   23.78    0.6036     68.470    -90.324
12       48.64939  16.97372  1.438750   94.93    0.5343     64.323     93.643
13     -239.97566   0.20000                                 64.141         
14       84.45216  10.77658  1.772499   49.60    0.5521     62.316     78.504
15     -206.62606    (可変)                                 61.136         
16*      48.27098   1.20000  2.001000   29.13    0.5997     30.013    -27.936
17       17.57501   7.48668                                 24.778         
18      -36.17012   0.80000  1.816000   46.62    0.5568     24.550    -28.913
19       69.54013   0.49278                                 24.066         
20       43.80124   4.88511  2.000690   25.46    0.6133     24.142     21.424
21      -40.36572   1.36383                                 23.790         
22      -25.24489   0.90000  1.834807   42.71    0.5642     23.574    -52.907
23      -59.44507    (可変)                                 24.246         
24      -27.96339   0.80000  1.639999   60.08    0.5370     24.628    -34.341
25      105.79038   2.64502  1.808095   22.76    0.6307     26.665     93.540
26     -271.51570    (可変)                                 27.221         
27(絞り)    ∞      1.47466                                 28.069         
28    -9897.87302   3.30206  1.772499   49.60    0.5521     28.982     78.066
29      -60.23523   0.20000                                 29.488         
30      192.97751   3.93909  1.589130   61.14    0.5406     30.056     79.968
31      -62.17424   0.20000                                 30.172         
32       69.45008   5.69407  1.516330   64.14    0.5352     29.533     52.091
33      -42.92720   1.20000  2.000690   25.46    0.6133     29.123    -41.036
34     1216.75385   0.19979                                 29.063         
35       25.32639   3.68828  1.516330   64.14    0.5352     29.028    132.828
36       38.07596  18.18838                                 28.193         
37       63.74293   0.90000  1.953750   32.32    0.5898     23.376    -27.840
38       18.71075   5.95175  1.808095   22.76    0.6307     22.225     18.964
39      -76.92161   1.38274                                 21.851         
40       76.61712   4.87566  1.438750   94.93    0.5343     21.406     42.347
41      -24.13109   1.00000  1.805181   25.42    0.6161     21.080    -17.668
42       36.10887  11.09401                                 21.337         
43       41.85392   7.51316  1.595220   67.74    0.5442     29.338     35.307
44      -39.65572   1.20000  1.882997   40.76    0.5667     29.517    -92.149
45      -78.02765  39.99000                                 30.027         
像面        ∞   
非球面データ
第7面
K =-1.73761e+001  A 4=-3.20828e-007  A 6= 3.77274e-011  A 8=-1.60630e-014  A10=-4.63233e-017  A12= 1.16115e-019  A14=-8.89475e-023  A16= 2.36508e-026  
第16面
K =-9.35949e+000  A 4= 1.47026e-005  A 6=-1.49210e-008  A 8= 2.40783e-011  A10=-3.38433e-014  A12= 1.88004e-015  A14=-1.26872e-017  A16= 2.79931e-020  
各種データ
ズーム比      5.00 
広角     中間     望遠
焦点距離      19.00    45.00    95.00  
Fナンバー      2.70     2.70     2.70  
半画角        39.30    19.06     9.30  
像高          15.55    15.55    15.55  
レンズ全長   271.52   271.52   271.52  
BF            39.99    39.99    39.99  
d15            0.70    22.76    34.43  
d23           29.03     6.96     4.48  
d26           10.20    10.21     1.02  
入射瞳位置    56.43    86.13   122.86  
射出瞳位置  -101.34  -101.34  -101.34  
前側主点位置  72.88   116.80   154.00  
後側主点位置  20.99    -5.01   -55.01  
ズームレンズ群データ
群  始面    焦点距離  レンズ構成長  前側主点位置  後側主点位置
1    1      45.00        99.02        57.71         19.90
2   16     -24.80        17.13         1.21        -12.13
3   24     -55.00         3.45        -0.37         -2.32
4   27      39.90        72.00        19.18        -64.39
【０１３２】
＜参考例５の数値データ＞
単位 mm
面データ
面番号      r         d        nd        vd       θgF     有効径   焦点距離
1*      81.52156   2.80000  1.772499   49.60    0.5521     97.279    -83.251
2       35.50574  31.30681                                 70.026           
3      667.71915   2.20000  1.772499   49.60    0.5521     68.022   -135.261
4       90.59457   4.47839                                 64.610           
5      197.06072   2.20000  1.834807   42.71    0.5642     64.321    -66.614
6       43.33682  11.33919  1.922860   18.90    0.6495     60.874     69.654
7      113.32971   2.55719                                 59.842           
8      115.11681   9.51685  1.496999   81.54    0.5374     59.385    153.156
9*    -220.41107   0.20000                                 58.068           
10      185.45912   9.63439  1.618000   63.33    0.5441     57.517     91.373
11      -80.00592   2.00000  1.846660   23.78    0.6205     57.026   -103.318
12     -857.68120   5.60166                                 56.350           
13     -547.42488   2.00000  1.846660   23.78    0.6205     55.107    -95.810
14       96.50030   8.54469  1.496999   81.54    0.5374     56.048    126.294
15     -175.74550   0.20000                                 56.723           
16      248.42762  12.85098  1.595220   67.74    0.5442     58.081     80.834
17      -58.77230   0.20000                                 58.452           
18       56.55329   6.43207  1.763850   48.51    0.5587     50.476     91.827
19      271.97337    (可変)                                 49.270           
20*      75.52289   1.30000  1.816000   46.62    0.5568     27.970    -25.770
21       16.38581   7.94998                                 22.551           
22      -35.35061   0.90000  1.754998   52.32    0.5476     20.890    -28.150
23       54.49701   0.20000                                 20.318           
24       38.34698   4.04203  1.846660   23.78    0.6034     20.314     27.246
25      -56.47379   2.18661                                 19.859           
26      -20.15327   0.90000  1.882997   40.76    0.5667     19.635    -76.243
27      -29.29552    (可変)                                 20.447           
28      -28.24173   0.90000  1.729157   54.68    0.5444     21.748    -31.883
29      136.58830   2.26264  1.846660   23.78    0.6205     23.610     90.643
30     -177.80079    (可変)                                 24.238           
31(絞り)   ∞       1.80831                                 26.366           
32     1876.46717   5.41221  1.816000   46.62    0.5568     27.823     37.988
33      -31.64154   0.20000                                 28.604           
34       60.10061   8.24256  1.496999   81.54    0.5374     28.186     38.709
35      -27.12183   1.20000  2.001000   29.13    0.5997     27.594    -34.449
36     -126.12274   0.20000                                 28.202           
37       27.44643   3.25073  1.612929   37.00    0.5862     28.528    139.096
38       38.53198  22.34855                                 27.776           
39     -524.12330   5.21590  1.517417   52.43    0.5564     24.011    121.284
40      -56.46271  11.54753                                 24.632           
41      111.79736   8.05123  1.496999   81.54    0.5374     24.704     33.474
42      -19.14232   0.85000  1.953750   32.31    0.5898     24.498    -25.679
43      -87.28015   3.16563                                 25.890           
44      436.69471   5.32440  1.959060   17.47    0.6599     27.387     38.954
45      -41.20307   0.85000  2.001000   29.13    0.5997     27.768    -24.479
46       62.31899   0.38161                                 28.514           
47       43.43683   7.60385  1.496999   81.54    0.5374     29.721     43.773
48      -41.28677  41.02000                                 30.288           
像面        ∞
非球面データ
第1面
K = 1.15930e+000  A 4= 3.25637e-007  A 6=-7.92964e-012  A 8= 8.93227e-015  
第9面
K =-4.96791e+001  A 4= 8.83515e-007  A 6= 5.16367e-010  A 8= 5.70862e-014  
第20面
K = 8.19089e+000  A 4= 5.61681e-006  A 6=-9.29022e-009  A 8= 2.78530e-011  
各種データ
ズーム比      4.00 
広角     中間     望遠
焦点距離      14.00    28.00    56.00  
Fナンバー      3.00     3.00     3.00  
半画角        48.00    29.05    15.52  
像高          15.55    15.55    15.55  
レンズ全長   297.27   297.27   297.27  
BF            41.02    41.02    41.02  
d19            1.00    17.72    28.94  
d27           32.19    13.50     4.68  
d30            2.70     4.67     2.27  
入射瞳位置    48.68    60.09    76.35  
射出瞳位置  -122.20  -122.20  -122.20  
前側主点位置  61.48    83.29   113.13  
後側主点位置  27.02    13.02   -14.98  
ズームレンズ群データ
群  始面    焦点距離  レンズ構成長  前側主点位置  後側主点位置
1    1      30.00       114.06        57.47         29.47
2   20     -19.00        17.48         2.47        -11.25
3   28     -50.00         3.16        -0.44         -2.20
4   31      37.44        85.65        20.00        -79.28
【０１３３】
＜参考例６の数値データ＞
単位 mm
面データ
面番号      r         d        nd        vd       θgF     有効径   焦点距離
1     -327.39176   2.20000  1.800999   34.97    0.5863     77.240   -159.412
2      212.30166   6.16736                                 73.645         
3    13317.83260   2.20000  1.846660   23.78    0.6036     71.962   -133.000
4      112.75087  10.43625  1.438750   94.93    0.5343     69.683    162.621
5     -190.12082   0.15000                                 69.612         
6      202.12097   8.24880  1.433870   95.10    0.5373     69.749    216.786
7     -174.56398   5.52252                                 69.593         
8      130.72546   7.75647  1.729157   54.68    0.5444     66.803    122.285
9     -277.21316   0.15000                                 66.223         
10       51.26048   5.75366  1.816000   46.62    0.5568     55.986    117.969
11      103.50442    (可変)                                 54.733         
12       40.30167   1.00000  1.882997   40.76    0.5667     27.162    -25.624
13       14.37480   6.64137                                 21.653         
14      -44.26823   4.12247  1.959060   17.47    0.6599     21.201     27.280
15      -17.34279   0.75000  1.882997   40.76    0.5667     20.813    -12.721
16       33.07750   0.30000                                 19.209         
17       23.07848   5.06268  1.613397   44.30    0.5633     19.205     22.525
18      -31.97426   1.00000                                 18.664         
19      -20.45576   0.75000  1.743198   49.34    0.5530     18.441    -37.760
20      -75.66571    (可変)                                 18.299         
21      -21.28881   0.75000  1.754998   52.32    0.5476     15.961    -16.353
22       30.16460   3.20766  1.846490   23.90    0.6217     17.695     36.371
23      962.85645    (可変)                                 18.492         
24(絞り)   ∞       1.33800                                 22.519         
25     -513.75388   4.44000  1.670029   47.23    0.5627     23.522     46.335
26      -29.51785   0.15000                                 24.469         
27       42.71785   3.88000  1.487490   70.23    0.5300     25.553     98.440
28      367.25885   0.15000                                 25.432         
29       76.36769   5.32854  1.501270   56.50    0.5536     25.383     48.322
30      -34.85882   1.20000  1.882997   40.76    0.5667     25.102    -43.864
31     -336.68517  33.00000                                 25.244         
32       79.35416   6.19589  1.487490   70.23    0.5300     25.746     81.814
33      -78.66323   0.15000                                 25.343         
34     -174.28704   1.40000  1.834000   37.16    0.5775     25.117    -20.316
35       18.97040   7.07764  1.516330   64.15    0.5352     24.476     30.582
36      -84.05581   0.86168                                 24.889         
37       38.64148   7.67377  1.517417   52.43    0.5564     25.766     28.911
38      -22.91864   1.40000  1.882997   40.76    0.5667     25.610    -29.857
39     -173.73960   0.15000                                 26.790         
40      119.16208   6.64543  1.517417   52.43    0.5564     27.392     43.094
41      -27.05740   4.70000                                 27.767         
42        0.00000  33.00000  1.608590   46.44    0.5664     40.000         
43        0.00000  13.20000  1.516330   64.15    0.5352     40.000         
44        0.00000   9.58000                                 40.000         
像面        ∞
各種データ
ズーム比     15.00 
広角     中間     望遠
焦点距離       8.00    32.00   120.00  
Fナンバー      1.80     1.80     2.35  
半画角        34.51     9.75     2.62  
像高           5.50     5.50     5.50  
レンズ全長   259.60   259.60   259.60  
BF             9.58     9.58     9.58  
d11            0.70    29.97    42.44  
d20           40.32     8.35     2.77  
d23            4.88     7.59     0.70  
入射瞳位置    47.48   151.46   379.01  
射出瞳位置   109.13   109.13   109.13  
前側主点位置  56.13   193.74   643.67  
後側主点位置   1.58   -22.42  -110.42  
ズームレンズ群データ
群  始面    焦点距離  レンズ構成長  前側主点位置  後側主点位置
1    1      58.00        48.59        32.53          3.63
2   12     -14.00        19.63         3.63         -9.66
3   21     -30.00         3.96         0.02         -2.14
4   24      86.75       131.94       120.79       -198.70
【０１３４】
＜実施例の数値データ（数値実施例）＞
単位 mm
面データ
面番号      r         d        nd        vd       θgF     有効径   焦点距離
1      194.96209   3.00000  1.772499   49.60    0.5521     88.491    -88.490
2       50.45050  23.69287                                 73.351           
3     -101.22704   2.50000  1.772499   49.60    0.5521     72.885   -111.690
4      610.40944   0.19704                                 74.054           
5      112.46576   6.06429  1.922860   18.90    0.6495     75.732    194.404
6      287.65098   4.86350                                 75.347           
7    -1837.00765   7.27013  1.651597   58.55    0.5426     75.086    230.062
8     -139.33725   0.20000                                 74.929           
9     -472.70380   4.65675  1.595220   67.74    0.5442     72.970    424.413
10     -165.62101   8.66201                                 72.465           
11     -192.35145   6.46656  1.537150   74.81    0.5390     66.913    268.083
12      -83.47137   0.99766                                 66.556           
13      -78.26046   2.50000  1.800000   29.84    0.6017     66.067   -270.007
14     -123.92169   0.20000                                 67.015           
15      144.80685   2.00000  1.846660   23.78    0.6034     66.705   -142.303
16       65.69817  13.00429  1.496999   81.54    0.5374     65.115    106.901
17     -263.45069   0.20000                                 65.049           
18      131.23177   9.46925  1.496999   81.54    0.5374     64.015    146.867
19     -161.59164   0.20000                                 63.356           
20       61.37933   6.25108  1.730000   49.00    0.5575     56.603    136.191
21      152.31744    (可変)                                 55.097           
22*     123.35380   1.20000  1.882997   40.76    0.5667     32.089    -28.857
23       21.12344   6.38054                                 26.928           
24     -167.62168   4.33940  1.846660   23.78    0.6034     26.240     54.777
25      -37.04472   0.80000  1.772499   49.60    0.5521     25.538    -98.748
26      -72.37210    (可変)                                 24.901           
27      -25.91341   0.80000  1.834807   42.71    0.5642     24.536    -28.139
28      270.81861   0.16000                                 24.869           
29       87.77809   3.31174  1.846660   23.78    0.6034     25.043     51.048
30      -85.31340    (可変)                                 25.023           
31      -31.89775   0.90000  1.696797   55.53    0.5433     25.027    -34.635
32      102.09398   2.46844  1.808095   22.76    0.6307     27.236     92.767
33     -290.19380    (可変)                                 27.788           
34(絞り)    ∞      1.28219                                 32.549           
35          ∞      5.00427  1.816000   46.62    0.5568     33.538     57.344
36      -47.02989   0.20000                                 34.253           
37      121.66426   4.00000  1.589130   61.14    0.5406     34.746    118.312
38     -162.68134   0.20000                                 34.670           
39       53.21128   7.67575  1.496999   81.54    0.5374     33.912     52.816
40      -49.60645   1.20000  1.846660   23.78    0.6205     33.197    -43.964
41      156.92657   0.19575                                 32.533           
42       24.49279   7.89416  1.518229   58.90    0.5456     32.141     61.163
43       94.58401   1.10000  1.772499   49.60    0.5521     30.289    -78.875
44       36.97714  21.17659                                 28.740           
45       55.51715   6.46969  1.805181   25.42    0.6161     22.663     21.616
46      -24.35459   0.90000  1.882997   40.76    0.5667     22.365    -19.627
47       62.39214   8.45794                                 22.051           
48      118.59896   6.86089  1.438750   94.93    0.5343     23.601     34.489
49      -17.08788   1.00000  2.003300   28.27    0.5980     23.707    -26.491
50      -48.53765   7.21499                                 25.917           
51       55.89004   6.66022  1.487490   70.23    0.5300     32.106     59.353
52      -58.04968  39.99000                                 32.395           
像面        ∞   
非球面データ
第22面
K = 3.15185e+001  A 4= 3.02637e-006  A 6=-5.86837e-009  A 8=-4.69891e-012  
移動軌跡データ
B21=40.35954  
B31=42.94793  B32= 3.88703  B33=-8.43442  B34= 3.38458  B35= 0.39726
B36= 0.38969
各種データ
ズーム比      6.50 
広角     中間     望遠
焦点距離      18.50    45.00   120.25  
Fナンバー      2.80     2.80     3.43  
半画角        40.05    19.06     7.37  
像高          15.55    15.55    15.55  
レンズ全長   300.07   300.07   300.07  
BF            39.99    39.99    39.99  
d21            0.68    25.34    41.04  
d26            2.39     4.03     4.61  
d30           39.84    10.82     3.22  
d33            6.92     9.65     0.98  
入射瞳位置    54.12    84.17   136.89  
射出瞳位置  -165.72  -165.72  -165.72  
前側主点位置  70.96   119.33   186.85  
後側主点位置  21.49    -5.01   -80.26  
ズームレンズ群データ
群  始面    焦点距離  レンズ構成長  前側主点位置  後側主点位置
1    1      46.00       102.40        59.41         25.26
2   22     -42.00        12.72        -2.77        -13.83
3   27     -67.00         4.27        -1.89         -4.39
4   31     -56.00         3.37        -0.33         -2.23
5   34      46.94        87.49        26.91       -102.68
【０１３５】
【表１】
2019139253.tif 000005
【符号の説明】
【０１３６】
Ｕ１  第１レンズ群
Ｕ２  第２レンズ群
Ｕ３  第３レンズ群
Ｕ４  第４レンズ群
Ｕ５  第５レンズ群
【図１】
2019139253.tif 000006
【図２】
2019139253.tif 000007
【図３】
2019139253.tif 000008
【図４】
2019139253.tif 000009
【図５】
2019139253.tif 000010
【図６】
2019139253.tif 000011
【図７】
2019139253.tif 000012
【図８】
2019139253.tif 000013
【図９】
2019139253.tif 000014
【図１０】
2019139253.tif 000015
【図１１】
2019139253.tif 000016
【図１２】
2019139253.tif 000017
【図１３】
2019139253.tif 000018
【図１４】
2019139253.tif 000019
【図１５】
2019139253.tif 000020
【図１６】
2019139253.tif 000021
【図１７】
2019139253.tif 000022
【図１８】
2019139253.tif 000023